(57)【特許請求の範囲】
【請求項１】
河川や水路において、流水に浮いたり、混入したりしている塵芥を分離し、分離して引上げた地点から集積地点までの間に集積地点に向かう適度な下り勾配を有する水路形状のシュートを設け、シュートの始点には、ポンプで水を汲み上げてシュート内に常時浅い水深ながら一定の水流を形成させ、さらにシュート終点には多孔構造のバケットを、シュート内を流下してくる水と塵芥を一旦全部受け入れたのち、水だけを孔から放流して塵芥を捕らえることのできるよう設置して、シュートの始点付近または途中に投入された塵芥を、土石流のようにシュート内を流下させてシュート終点まで搬送し、集積地点に放出して集積するようにした除塵装置の塵芥の搬送装置において、上記シュート終点に設けた多孔構造のバケットを、上部は通水孔を密に形成して急速に排水可能とし、下部は通水孔を粗に形成して緩やかに排水させるようにしたことを特徴とする除塵装置の塵芥の搬送装置。
【請求項２】
河川や水路において、流水に浮いたり、混入したりしている塵芥を分離し、分離して引上げた地点から集積地点までの間に集積地点に向かう適度な下り勾配を有する水路形状のシュートを設け、シュートの始点には、ポンプで水を汲み上げてシュート内に常時浅い水深ながら一定の水流を形成させ、さらにシュート終点には多孔構造のバケットを、シュート内を流下してくる水と塵芥を一旦全部受け入れたのち、水だけを孔から放流して塵芥を捕らえることのできるよう設置して、シュートの始点付近または途中に投入された塵芥を、土石流のようにシュート内を流下させてシュート終点まで搬送し、集積地点に放出して集積するようにした除塵装置の塵芥の搬送装置において、上記シュート終点に水流方向に対して傾斜した排出壁を設け、塵芥をシュート側面から多孔構造のバケットに投入させるようにしたことを特徴とする除塵装置の塵芥の搬送装置。
【発明の詳細な説明】
【０００１】
【産業上の利用分野】
この発明は、河川や水路において、流水に浮いたり、混入したりしている塵芥を分離して陸上に引上げ、集積する除塵装置において、分離して引上げた塵芥をその地点から集積地点まで搬送し集積する除塵装置の塵芥の搬送装置に関するものである。
【０００２】
【従来の技術】
従来、除塵装置の塵芥の搬送装置としては、
▲１▼ベルトコンベアに塵芥を投入して搬送し、コンベアの終点を集積床面より十分高くして、コンベア終点でベルトが反転するときに落下する塵芥をその地点に集積するもの。
▲２▼鋼製の矩形シュートの底部をコンベアチェーンによって駆動される多数の搬送棒が移動するいわゆるチェーンコンベアに塵芥を投入して搬送し、コンベアの終点を集積床面より充分高くしてコンベア終点でチェーンが反転するときに落下する塵芥をその地点に集積するもの。
▲３▼金網によって小さい寸法の塵芥を捕捉する除塵装置において、金網を洗浄して塵芥の混入した水に多量の水を加えてシュート内を流下させ、シュート終点で多孔構造のバケットに再度捕捉させ、このバケットを引揚げ反転することにより集積床面に塵芥を放出し集積するもの。
等があった。
【０００３】
【発明が解決しようとする課題】
しかしながら、上記従来例の▲１▼や▲２▼においては、コンベアの建設費が高価につく上に、水から分離したばかりの塵芥の内一部は、コンベア終点においてベルトやチェーンまたは搬送棒に付着したまま逆行部に入り込み、搬送装置を汚したり、運転に障害を及ぼすことがあった。
【０００４】
また上記従来例▲３▼は、金網によって捕捉するような最大寸法２５ｍｍ〜５０ｍｍ程度の小さい寸法の塵芥に限られて利用され、シュート内で塵芥は圧倒的に多量の水量に浮かせて搬送されるので、搬送する塵芥に比較して非常に大きい揚量のポンプを必要としたので、河川を流入する塵芥のように木片、枝、草、落葉、家庭の廃棄物、廃プラスチック、小動物の死体など寸法も大きく、種々雑多な構成の塵芥の場合には利用されなかった。
【０００５】
そこで本発明者らは先に実願平４−７５４４１号の発明において、河川や水路において、流水に浮いたり、混入したりしている塵芥を分離し、分離して引上げた地点から集積地点までの間に、平面的には直線と緩やかな曲線であり、縦断的には集積地点に向かう適度な下り勾配を有する水路形状のシュートを設け、シュートの始点には、ポンプで水を汲み上げてシュート内に常時浅い水深ながら一定の水流を形成させ、さらにシュート終点には多孔構造のバケットを、シュート内を流下してくる水と塵芥を一旦全部受け入れたのち、水だけを孔から放流して塵芥を捕らえることのできるよう設置して、シュートの始点付近または途中に投入された塵芥を、土石流のようにシュート内を流下させてシュート終点まで搬送し、集積地点に放出して集積するようにした除塵装置の塵芥の搬送装置を提案した。
【０００６】
しかしながら上記発明においても、シュート終点において塵芥が多孔構造のバケット内において一か所に積み重なった状態となり、バケット全体を効率的に使って塵芥を集積することが困難であった。
【０００７】
すなわち、図７および図８に示すように、シュート８の終点から水流方向に沿って塵芥を排出するようにしたものにおいては、多孔構造のバケット９内の底部から積み上げられる状態となり、特に塵芥に長尺の木材等が含まれているときにはシュート８の排出口を塞いでしまって種々の弊害を生じる原因となっていた。
【０００８】
そこでこの発明は、従来例の上記欠点を解消しようとするものであり、多孔構造のバケット９内で塵芥がまんべんなく分散し、バケット全体を効率的に使って塵芥を集積することができるようにした除塵装置の塵芥の搬送装置を提供しようとするものである。
【０００９】
【課題を解決するための手段】
この発明の除塵装置の塵芥の搬送装置は、河川や水路において、流水に浮いたり、混入したりしている塵芥を分離し、分離して引上げた地点から集積地点までの間に集積地点に向かう適度な下り勾配を有する水路形状のシュートを設け、シュートの始点には、ポンプで水を汲み上げてシュート内に常時浅い水深ながら一定の水流を形成させ、さらにシュート終点には多孔構造のバケットを、シュート内を流下してくる水と塵芥を一旦全部受け入れたのち、水だけを孔から放流して塵芥を捕らえることのできるよう設置して、シュートの始点付近または途中に投入された塵芥を、土石流のようにシュート内を流下させてシュート終点まで搬送し、集積地点に放出して集積するようにした除塵装置の塵芥の搬送装置において、上記シュート終点に設けた多孔構造のバケットを、上部は通水孔を密に形成して急速に排水可能とし、下部は通水孔を粗に形成して緩やかに排水させるようにしたことを特徴とするものである。
【００１０】
この発明の除塵装置の塵芥の搬送装置は、河川や水路において、流水に浮いたり、混入したりしている塵芥を分離し、分離して引上げた地点から集積地点までの間に集積地点に向かう適度な下り勾配を有する水路形状のシュートを設け、シュートの始点には、ポンプで水を汲み上げてシュート内に常時浅い水深ながら一定の水流を形成させ、さらにシュート終点には多孔構造のバケットを、シュート内を流下してくる水と塵芥を一旦全部受け入れたのち、水だけを孔から放流して塵芥を捕らえることのできるよう設置して、シュートの始点付近または途中に投入された塵芥を、土石流のようにシュート内を流下させてシュート終点まで搬送し、集積地点に放出して集積するようにした除塵装置の塵芥の搬送装置において、上記シュート終点に水流方向に対して傾斜した排出壁を設け、塵芥をシュート側面から多孔構造のバケットに投入させるようにしたことを特徴とするものである。
【００１１】
【作用】
この発明の除塵装置の塵芥の搬送装置によれば、多孔構造のバケット内で塵芥がまんべんなく分散するので、バケット全体を効率的に使って塵芥を集積することができるようになった。
【００１２】
また、塵芥に長尺の木材等が含まれているときにもシュートの排出口を塞いでしまうことがなく、長期間にわたって故障のない除塵装置の塵芥の搬送装置を提供することができるようになった。
【００１３】
【実施例】
以下、この発明の除塵装置の塵芥の搬送装置の実施例を、図面に基いて説明する。
【００１４】
図１ないし図４は、この発明の除塵装置の塵芥の搬送装置の１実施例を説明するものである。
【００１５】
図１は除塵装置を設置した水路の縦断面図であり、水路を流れる水に混入した塵芥は、下流側に傾けて水路の全幅にわたって一定の間隔で平鋼を立て並べたスクリーン１に掛かって、水路を流れ下ることができない。この塵芥はチェーン車４によって駆動され、チェーン車５，６，７によって誘導されるエンドレスのチェーン３に数個所取り付けられた熊手２によって、スクリーン１の上流面に沿って引上げられ、シュート８に投入される。
【００１６】
図２は塵芥の搬送装置部分の縦断面図であり、シュート８は除塵装置を設置した水路をまたいで水路幅の如何なる位置から引上げられた塵芥をも受け入れ可能であり、多孔構造のバケット９の方向に１／ｎの勾配で設置され、水や塵芥の流下が可能である。図において、シュート８の終端の下方には多孔構造のバケット９が支持台１０によって支持されてシュート８を流下してくる水と塵芥の全てを受け入れることのできる位置に置かれている。
【００１７】
またシュート８の始端にはストレーナ１６、配管１７を経由してポンプ１８が汲み上げた水が配管１９によって注入されるので、シュート８には浅い水深ながら一定の水流が形成される。
【００１８】
シュート８を流れ下った水はバケット９に入るが、その排水孔から流出してバケットピット１５、排水管２０を経て水路に戻る。
【００１９】
このような状態の所へ、シュート８に大きい寸法のものを含む塵芥が多量に投入されると、シュート８を流れ下る水は塵芥に妨げられて塵芥の上流側の水深を増大させるが、やがて塵芥の上流側の水深が充分大きくなると、水は塵芥を巻き込んだ流れとなり、土石流のように一挙にシュート８の終端まで流下して、バケット９の内部に落下する。
【００２０】
バケット９の内部に落下した水と塵芥のうち塵芥はバケット９の内に残るので、バケット９を他の場所に搬送して塵芥を排出することにより、バケット９は再度元の位置に戻して利用することができる。
【００２１】
図３および図４にこの発明に使用されるバケット９の詳細を示す。このシュート終点に設けた多孔構造のバケット９は、上部は縦長の通水孔３１を密に形成して急速に排水可能とし、下部は小さい円形の通水孔３２を粗に形成して緩やかに排水させるようになっている。
【００２２】
多孔構造のバケット９内に落下した水と塵芥は、多孔構造のバケット９内の下部においては緩やかに排水されるので、水が貯留されてこの水の上部に塵芥が浮遊する。したがって、塵芥は貯留された水の上で分散し、バケット９全体を効率的に使って塵芥を集積することができる。
【００２３】
一方、貯留された水が多孔構造のバケット９内の上部まで上昇すると、縦長の通水孔３１が密に形成してあるので急速に排水され、塵芥が上縁から溢れることがない。
【００２４】
図５および図６にこの発明の除塵装置の塵芥の搬送装置の他の実施例を示す。この例ではシュート８の終点には水流方向に対して傾斜した排出壁３３が設けてあり、かつシュート８の排出壁３３が接近している側面には排出口３４が形成してある。
【００２５】
したがって、シュート８の終点に達した塵芥、特に長尺の木材３５等は、水流方向に対して傾斜した排出壁３３に突き当たって向きを変えられ、シュート８の側面に設けた排出口３４からほぼ横向きの状態で多孔構造のバケット９に投入される。
【００２６】
同様にその他の塵芥も、上記シュート８の側面に設けた横長の排出口３４から排出され、多孔構造のバケット９の長さ方向に沿ってまんべんなく投入されるので、非常に分散性がよい。
【００２７】
【発明の効果】
この発明の除塵装置の塵芥の搬送装置によれば、多孔構造のバケット内で塵芥がまんべんなく分散するので、バケット全体を効率的に使って塵芥を集積することができるようになった。
【００２８】
また、塵芥に長尺の木材等が含まれているときにもシュートの排出口を塞いでしまうことがなく、長期間にわたって故障のない除塵装置の塵芥の搬送装置を提供することができるようになった。
【図面の簡単な説明】
【図１】この発明に係る除塵装置の塵芥の搬送装置の１実施例を示し、除塵装置を設置した水路の縦断面図である。
【図２】塵芥の搬送装置の縦断面図である。
【図３】多孔構造のバケットの斜視図である。
【図４】その断面図である。
【図５】この発明に係る除塵装置の塵芥の搬送装置の他の実施例を示す平面図である。
【図６】その側面図である。
【図７】従来例を示す平面図である。
【図８】その側面図である。
【符号の説明】
１  スクリーン
２  熊手
３  エンドレスチェーン
４，５，６，７  チェーン車
８  シュート
９  バケット
１０  支持台
１５  バケットピット
１６  ストレーナ
１７  配管
１８  ポンプ
１９  配管
２０  排水管
３１  縦長の通水孔
３２  円形の通水孔
３３  排出壁
３４  排出口
３５  木材
【図１】
0003577674.tif 000002
【図２】
0003577674.tif 000003
【図３】
0003577674.tif 000004
【図４】
0003577674.tif 000005
【図５】
0003577674.tif 000006
【図６】
0003577674.tif 000007
【図７】
0003577674.tif 000008
【図８】
0003577674.tif 000009